(57)【要約】【課題】  筆記具を筆記のために握るだけでキャップを軸に対して移動させ、ペン先をキャップから出すことのできる筆記具を提供する。【解決手段】  キャップ１１はケーシング３に軸芯方向に移動可能に取付けられ、その先端にペン先９が出入りできる孔１７が明いている。キャップのアーム１５ａ、ｂには傾斜した長孔１９ａ、ｂが形成されている。筆記具1を筆記のために握ったときに指の当たる位置にノックボタン２５が配置され、ノックボタンの両側面部２９の下方に設けられた延長部３１ａ、ｂには短い軸３３ａ、ｂが設けられ、この軸は長孔に相対移動可能に嵌っている。筆記部1を握るとノックボタンがケーシング内へ押し込まれ、キャップが移動しペン先が孔１７から突出し、離すとキャップが元に戻る。【選択図】図３
2006192626.tif 000002
【特許請求の範囲】
【請求項１】
一端側に筆記用先端部材を備えた芯が前記ケーシングに他端側において固定して取り付けられ、少なくとも前記先端部材が挿通可能な穴を先端に備え、前記芯の軸芯方向に移動可能に前記ケーシングに取付けられたキャップを備えたキャップ移動型筆記具において、筆記時に前記筆記具を握る手の指が当たる位置において前記ケーシングに少なくともその一部が前記ケーシングの外部に露出した状態で取付けられ、前記ケーシングの内方へ向かって移動可能且つ元の位置へ復帰可能に設けられたボタンと、前記ボタンを前記ケーシングの外方へ向けて付勢する付勢部材と、前記キャップの前記ケーシングに対する運動を前記キャップの前記ケーシングに対する前記芯の軸芯方向の運動に変換する運動伝達機構とを備えていることを特徴とする、キャップ移動型筆記具。
【請求項２】
請求項１記載のキャップ移動型筆記具において、前記運動伝達機構は、前記キャップと前記押しボタンのいずれか一方に設けられた、前記芯の軸芯方向に対して傾斜した傾斜部と、前記キャップと前記キャップ用押しボタンの他方に設けられた、前記傾斜部に摺動可能に当接する当接部材とで構成されていることを特徴とする、紐付き筆記具。
【請求項３】
請求項2記載のキャップ移動型筆記具において、前記傾斜部は細長い溝により形成され、前記当接部材は前記溝に嵌る軸で構成されていることを特徴とする、キャップ移動型筆記具。
【請求項４】
請求項3記載のキャップ移動型筆記具において、前記溝は前記キャップに設けられ、前記軸は前記押しボタンに設けられていることを特徴とする、キャップ移動型筆記具。
【発明の詳細な説明】
【技術分野】
【０００１】
本発明は、キャップを備えた筆記具に関する。特に、キャップを外さず軸に対して移動させることにより筆記することが可能な筆記具に関する。
【背景技術】
【０００２】
野外活動等で筆記具を使用する場合、筆記する度にキャップを外し、筆記後、またキャップを付けることは面倒であり、また、キャップをなくしてしまう心配がある。このような問題を解決するために、キャップを付けたまま、そのキャップの先端からペン先を出し、筆記できる筆記具が存在する。その従来例の１つが実開昭５９−５３９８５に開示されている。この従来例では、筆記具の先端にキャップが付いていて、筆記の際にそのキャップを指で軸筒側へ引き寄せ、クリップの係止部を軸筒側の係止爪に引っ掛けることによりペン先がキャップ先端の孔から出て、その状態で筆記ができる。ペン先をしまう時には、係止体を押すと係止爪が係止部から外れ、キャップ環状筒と軸筒との間に配置されたスプリングの付勢力によりキャップが押し戻され、ペン先を覆うようになっている。
【０００３】
【特許文献１】実開昭５９−５３９８５
【発明の開示】
【発明が解決しようとする課題】
【０００４】
しかし上記の従来例では、ペン先を出す際に片手で軸筒を持ち、もう片方の手でキャップを引き寄せてキャップをロックし、筆記のために筆記具を握りなおさなければならない。また、筆記後、ペン先をしまうために係止体を押さなければならず、手間がかかる。さらにキャップを戻すのを忘れるとペン先が突出したままで保護されず、また、突出したペン先により被服を汚してしまう場合もある。
【０００５】
本発明は上記問題点に鑑みてなされたものであり、移動式のキャップを備えた筆記具において、従来に比して手間がかからず簡単な操作でキャップの移動を行なえる筆記具を提供することをその課題とする。より具体的に言うならば、握るだけでキャップを移動できる筆記具を提供することを課題とする。
【課題を解決するための手段】
【０００６】
上記課題を解決するために本発明に係るキャップ移動型筆記具においては、筆記時に筆記具を握る手の指が当たる位置においてケーシングに少なくともその一部がケーシングの外部に露出した状態で押しボタンを取付け、この押しボタンはケーシングの内方へ向かって移動可能であり、且つ元の位置へ復帰可能に設ける。そしてこの押しボタンをケーシングの外方へ向けて付勢する付勢部材を設ける。さらに、前述のキャップのケーシングに対する運動をキャップのケーシングに対する芯の軸芯方向の運動に変換する運動伝達機構とを設ける。これにより筆記具を握るとキャップが移動し、芯の筆記用先端がキャップから突出する。
ある実施の形態では、その運動伝達機構は、キャップと押しボタンのいずれか一方に設けられた、芯の軸芯方向に対して傾斜した傾斜部と、キャップと押しボタンのうち他方に設けられた、傾斜部に摺動可能に当接する当接部材とで構成されている。
ある実施の形態では、傾斜部は細長い溝により形成され、当接部材はその溝に嵌る軸で構成されている。
さらに他の実施の形態では、溝はキャップに設けられ、軸は押しボタンに設けられている。
【発明の効果】
【０００７】
上記のような構成を備えた本発明に係る筆記具においては、筆記具を握るだけでペン先が突出するので、そのまま直ぐに筆記することができ、緊急な場合に容易に対応できる。また、手を離せばキャップが戻り筆記先端部が覆われるので、キャップの戻し忘れということが無く、そのままぶら下げていてもペン先は保護され、衣服を汚す心配もない。このような筆記具は特に野外活動などにおいて使用するのに便利である。
【発明を実施するための最良の形態】
【０００８】
以下、図面を参照して本発明の実施形態を説明する。図１は本発明に基づく筆記具の斜視図であり、図２はペン先がキャップに覆われた状態を示す正面図であり、図３はペン先がキャップ先端から突出した状態を示す正面図である。なおこれらの図においては筆記具１の内部構造を示すために、上側ケーシング３a及び下側ケーシング３ｂからなるケーシング３のうち上側ケーシング３aを取り外してある。
【０００９】
筆記具１には、先端にペン先９を備えた中芯７がその後端でケーシング３に固定されている。本発明においては、筆記具１のキャップ１１がケーシング３に対して移動できるようになっており、以下詳細に説明する。
【００１０】
このキャップ１１は円筒形で先の丸い中空部１３と、その後端からケーシング３の側壁４ａ、４ｂに平行な面内で互いに向き合って平行に後方へ伸びる１対のアーム１５a、ｂとで構成されている。中空部１３の先端中央部には、ペン先９を出し入れするための孔１７が設けられている。アーム１５a、ｂにはそれぞれ、図２中、右上から左下に細長く伸び両端が丸い斜孔１９a、ｂがお互いに向き合って設けられている。このキャップ１１はケーシング３に設けられた円形の孔２１に嵌められ、ペン先９を孔１７から出し入れできるように中芯７の軸方向に移動可能に取り付けられている。また、このような軸方向の移動を容易にするために、上側及び下側ケーシング３a、ｂにはそれぞれ、その側壁４ａ、４ｂから内方へ垂直に、且つ図中左右方向に伸びる一対の案内板３５a、ｂ及び３７a、ｂがキャップ１１のアーム１５a、ｂの、図中、上下側面に沿って設けられている。
【００１１】
キャップ１１が取り付けられたケーシング３の先端付近、図中、上部には、通常筆記のために筆記具を握る際に指が当たる位置にもう１つの孔２３が設けられていて、その孔にノックボタン２５がその一部がケーシング３の外方へ出た状態で嵌め込まれている。したがって、使用者が筆記のためにこの筆記具１を握ると、ノックボタン２５が容易にケーシング３の内方へ押し込まれるようになっている。このノックボタン２５は図示しないが適宜な手段によりケーシング3から外れないようになっている。ノックボタン２５は矩形の頂面部２７とその両側から、図中、下方に伸びる側面部２９a、ｂとで構成されている。この側面部２９a、ｂには、その下方においてそれぞれ略三角形の延長部３１a、ｂが設けられている。さらに、その延長部３１a、ｂの外側面下部にはそれぞれ丈の短い円柱の軸３３a、ｂが外向きに設けられ、前述のキャップ１１のアーム１５a、ｂに設けられた斜孔１９a、ｂに相対移動可能にそれぞれ嵌まっている。
【００１２】
下側ケーシング３ｂの側壁４ｂの内面側には、ノックボタン２５が嵌め込まれた孔２３の近くにおいて軸３９が設けられている。この軸３９には捩りコイルバネ４１が取り付けられ、この捩りコイルバネ４１の一端がノックボタン２５の両側面部２９ａ、ｂの間に入って帳面部２７の下面側に当たり、ノックボタン２５を上方に付勢している。本実施形態の筆記具１は紐５３付きであり、捩りコイルバネ４１の他端は、筆記具１の内部に取り付けられている紐５３を巻き取るための巻取り機構５０のリール５１に係合して巻取り方向の回転を阻止する係止版５２の一端に取り付けられている。紐の巻取り機構５０は本発明と直接の関連を有しないのでその説明は省略する。
【００１３】
次にペン先９の出し入れの方法について説明する。まず、図２に示すペン先９がしまわれた状態から筆記のために筆記具1を握ると、握った手の指がノックボタン２５に当たり、ノックボタン２５がケーシング３内に向かって押し込まれ、キャップ１１の斜孔１９a、ｂが嵌め込まれた軸３３a、ｂが下方に移動する。その作用によりキャップ１１が、案内板３５a、ｂ及び３７a、ｂによって案内され図中右方向に水平に移動し、ペン先９がキャップ11の先端の孔１７から外方へ突出する（図３参照）。この状態のままで筆記ができる。
【００１４】
筆記が終わり、筆記具１から手を離すとノックボタン２５が捩りコイルバネ４１の付勢力により元の位置に押し上げられ、キャップ１１が図中左方向に移動し、ペン先９がしまわれる。
【図面の簡単な説明】
【００１５】
【図１】本発明に基づく筆記具の内部構造を示す斜視図である。
【図２】図１の筆記具においてペン先が覆われた状態を示す平面図である。
【図３】図１の筆記具においてペン先が突出した状態を示す平面図である。
【符号の説明】
【００１６】
１：筆記具    ３：ケーシング    ７：中芯    ９：ペン先    １１：キャップ
１３：中空部    １５a、ｂ：アーム    １９a、ｂ：斜孔    ２５：ノックボタン    
３３：軸    ３５a、ｂ：案内版    ３９：軸    ４１：捩りコイルバネ    
５０：巻取り機構    ５３：紐
【図１】
2006192626.tif 000003
【図２】
2006192626.tif 000004
【図３】
2006192626.tif 000005